(57)【要約】【課題】  耐水性を考慮したスイッチ装置を設けた防水型電子機器において、防水性を考慮して電子機器全体を覆う防水ケースを用いると、防水構造が大掛かりになると共に操作性が悪くなる等の課題がある。【解決手段】  スライド収納部７２を有するハウジング７０と、スライド収納部７２にスライド移動可能に収納されると共に弾性変形可能とされた操作ボタン８１を有するスライド部材８０と、ハウジング７０に回動自在に支持されると共にスライド部材８０のスライド動作を回動動作に変換する回動部材１００と、この回動部材１００の軸部１０３に装着されハウジング１００との間を液密にシールするＯリング１０５と、回動部材１００の回動動作によって接点回路が切り換えられる回転スイッチ１１１と、スライド部材８０の操作ボタンを押圧操作することにより接点回路が切り換えられる押しボタンスイッチと、を備える構成とした。【選択図】  図１５
2006147259.tif 000002
【特許請求の範囲】
【請求項１】
スライド収納部を有するハウジングと、
前記スライド収納部にスライド移動可能に収納されると共に弾性変形可能とされた操作部を有するスライド部材と、
前記ハウジングに回動自在に支持されると共に前記スライド部材のスライド動作を回動動作に変換する回動部材と、
前記回動部材の回動軸部に装着され前記ハウジングとの間を液密にシールするシール部材と、
前記回動部材の回動動作によって接点回路が切り換えられる第１の切換スイッチと、
前記スライド部材の前記操作部を押圧操作することにより接点回路が切り換えられる第２の切換スイッチと、
を備えてなることを特徴とする防水型電子機器。
【請求項２】
前記ハウジングに、前記スライド部材の移動を規制するガイド溝を設けると共に、当該ガイド溝には前記操作部の弾性変形を許容するための操作可能部を設け、当該操作可能部の近傍に前記第２の切換スイッチを配置したことを特徴とする請求項１に記載の防水型電子機器。
【請求項３】
前記スライド部材は、前記ハウジングを貫通する操作棒を有し、当該操作棒には前記ガイド溝に摺動可能に係合される括れ部を設け、前記ガイド溝には、前記操作棒の前記括れ部に連続する幅広の規制部が通過可能な開口部を設け、当該開口部を前記操作可能部としたことを特徴とする請求項２に記載の防水型電子機器。
【請求項４】
前記操作部は、前記スライド部材の一部分の剛性を他の部分の剛性よりも低くすることにより弾性変形可能として構成したことを特徴とする請求項１に記載の防水型電子機器。
【請求項５】
前記操作部は、前記スライド部材に切欠き部を設けることにより当該切欠き部におけるスライド部材の剛性を他の部分の剛性よりも低くして撓み変形を容易にしたことによって形成したことを特徴とする請求項１に記載の防水型電子機器。
【発明の詳細な説明】
【技術分野】
【０００１】
本発明は、耐水性を考慮したスイッチ装置を設けた防水型電子機器に関し、特に、１つのスライド部材によって２又は３以上のスイッチを切り換え操作可能とした防水型電子機器に関するものである。
【背景技術】
【０００２】
従来の、この種の防水型電子機器としては、例えば、特許文献１に記載されているようなものがある。特許文献１には、電子機器用防水ケースに関するものが記載されている。この特許文献１に記載された電子機器用防水ケースは、「ロックボタンが一体的に設けられ、かつ、このロックボタンの押圧操作によりスライド移動規制が解除されるスライドスイッチを少なくとも周面に備えた電子機器を、ケース本体の内部に収容した状態で操作可能とする電子機器用防水ケースであって、前記ケース本体の壁部を液密に貫通し、前記スライドスイッチの作動方向に関して、一端部が前記ロックボタンに対向するように所定の角度で傾斜するシャフト部材と、前記一端部に設けられ、前記シャフト部材を軸方向に沿って前記ケース本体の内部へ移動させた時に前記ロックボタンを押圧し、かつ、前記スライドスイッチを作動方向にスライド移動させる弾性変形可能な押圧部材とを有する外部スイッチ装置を備えた」ことを特徴としている。
【０００３】
このような構成を有する電子機器用防水ケースによれば、「外部電源スイッチの押圧操作のみで、ロックボタンを備えたスライドスイッチを操作することができ、操作性に優れ、また、簡素な構造であるので防水信頼性を低下させることもない」等の効果が期待される。
【０００４】
しかしながら、上述したような防水型電子機器においては、電子機器の防水を行いながらロックボタン付きのスライドスイッチを操作することはできるが、その近傍に他の操作スイッチがあるような電子機器の場合、それぞれのスイッチに対して個別に防水機能を持たせようとすると、防水構造が大掛かりなものとなり、装置全体が大型化されるおそれがある。また、一般的に、複数のスイッチを連続して操作しようとすると、夫々のスイッチが独立した構造となっているため、１つのスイッチから他のスイッチに移動する際に、移動先のスイッチが所望のスイッチであることを確認しなければならず、装置全体におけるスイッチの操作性が悪いという課題があった。
【特許文献１】特開２００２−９０８６９号公報
【発明の開示】
【発明が解決しようとする課題】
【０００５】
解決しようとする問題点は、電子機器全体を覆う防水ケースを用いると、防水構造が大掛かりになると共に、防水型電子機器としての操作性が悪くなるという点である。
【課題を解決するための手段】
【０００６】
本出願の防水型電子機器は、スライド収納部を有するハウジングと、スライド収納部にスライド移動可能に収納されると共に弾性変形可能とされた操作部を有するスライド部材と、ハウジングに回動自在に支持されると共にスライド部材のスライド動作を回動動作に変換する回動部材と、回動部材の回動軸部に装着されハウジングとの間を液密にシールするシール部材と、回動部材の回動動作によって接点回路が切り換えられる第１の切換スイッチと、スライド部材の操作部を押圧操作することにより接点回路が切り換えられる第２の切換スイッチと、を備えてなることを最も主要な特徴とする。
【０００７】
本出願の防水型電子機器は、ハウジングに、スライド部材の移動を規制するガイド溝を設けると共に、このガイド溝には操作部の弾性変形を許容するための操作可能部を設け、操作可能部の近傍に第２の切換スイッチを配置したことを特徴とする。
【０００８】
本出願の防水型電子機器は、スライド部材は、ハウジングを貫通する操作棒を有し、この操作棒にはガイド溝に摺動可能に係合される括れ部を設け、ガイド溝には、操作棒の括れ部に連続する幅広の規制部が通過可能な開口部を設け、この開口部を前記操作可能部としたことを特徴とする。
【０００９】
本出願の防水型電子機器は、操作部は、スライド部材の一部分の剛性を他の部分の剛性よりも低くすることにより弾性変形可能として構成したことを特徴とする。
【００１０】
また、本出願の防水型電子機器は、操作部は、スライド部材に切欠き部を設けることにより、この切欠き部におけるスライド部材の剛性を他の部分の剛性よりも低くして撓み変形を容易にしたことによって形成したことを特徴とする。
【発明の効果】
【００１１】
本出願の防水型電子機器によれば、１つのスライド部材による一連の動作の中で、２つの切り換えスイッチの操作を行うことができるため、スイッチ装置の部品点数を削減することができると共に、装置全体の操作性を良くすることができる。また、回動部材の回動軸部にシール部材が装着されているため、塵や埃等のゴミは勿論のこと、水又は水分が電子機器内部に浸入することを容易に防止することができる。これにより、防水若しくは防滴性能を保持しつつ部品点数を削減して、装置全体の小型化を図ることができると共に、スイッチ装置の操作性を向上することができる。
【００１２】
本出願の防水型電子機器によれば、スライド部材はガイド溝に案内されて第１の位置と第２の位置との間を移動し、その移動によって第１の切換スイッチを操作することができると共に、第２の位置に設けた操作可能部により、スライド部材を押しボタンスイッチの操作部として用いて第２の切換スイッチを操作することができる。そのため、１つのスライド部材による一連の動作によって２つの切換スイッチを連続させて切換操作することができることから、スイッチ装置全体の操作性を向上させることができる。
【００１３】
本出願の防水型電子機器によれば、スライド部材の操作棒に設けた括れ部が、ハウジングのガイド溝に係合されているため、スライド部材を第１の位置と第２の位置との間に確実且つスムースに移動させることができると共に、第２の位置には操作棒の規制部が通過可能な開口部からなる操作可能部が存在するため、その操作可能部にスライド部材が移動したときにのみスライド部材を押しボタンスイッチ操作部として用いることができる。
【００１４】
本出願の防水型電子機器によれば、スライド部材の一部分の剛性を他の部分の剛性よりも低くすることによって操作部を構成したため、スライド部材の構成を複雑にすることなく、弾性変形（若しくは撓み変形）の容易な操作部を有するスライド部材を簡単な構造によって実現することができる。
【００１５】
また、本出願の防水型電子機器によれば、スライド部材に切欠き部を設けることによって操作部を形成したため、操作部を容易に撓ませて弾性変形を生じさせることができ、一部を弾性変形可能としたスライド部材を極めて簡単な構造によって実現できると共に、その弾性変形を生じさせるための部分に塑性変形が生じたり疲労破壊を生じたりするおそれのないスライド部材を形成することができる。
【発明を実施するための最良の形態】
【００１６】
１つのスライド部材による一連の動作の中で、２つのスイッチの操作を行うことができ、スイッチ装置全体の操作性を向上させることができると共に、防塵性、防水性又は防滴性に優れた防水型電子機器を、簡単な構成によって実現した。
【実施例１】
【００１７】
図１〜図１７は、本発明の実施の形態の例を示すものである。即ち、図１〜７は本発明の防水型電子機器の一実施例である防水型撮像装置を示すもので、図１は正面図、図２は底面図、図３は平面図、図４は背面図、図５は左側面図、図６は右側面図、図7は正面側から見た外観斜視図である。更に、図８は本発明に係る防水型撮像装置のバックルを開いて正面側から見た斜視図、図９は同じくディスク蓋体及びバックルを共に開いて正面側から見た斜視図、図１０はディスク蓋体側から見た外観斜視図、図１１はスイッチ装置を分解して一面側から見た説明図、図１２は同じくスイッチ装置を分解して他面側から見た説明図、図１３はスライド部材と回動部材との関係を説明する説明図、図１４はスライド部材とハウジングとの関係を説明する説明図、図１５Ａ〜Ｃはスイッチ装置の動作を示す説明図、図１６は防水型撮像装置の使用状態を示す説明図、図１７はハウジングに設けたガイド溝と操作可能部の他の実施例を示す説明図である。
【００１８】
図１〜図１０に示す防水型撮像装置１は、情報記憶メディアとしてディスク状記録媒体の一具体例を示すＤＶＤ−Ｒ（Digital Video Disc―Recordable）を使用し、光学的な画像をＣＣＤ（固体撮像素子）で電気的な信号に変換してＤＶＤ−Ｒに記録したり、液晶ディスプレイ等の平面モニタからなる表示装置に表示できるようにしたもの（以下「ディスク式防水型撮像装置」という。）である。しかしながら、本発明に係る情報記憶メディアとしては、ＤＶＤ−Ｒに限定されるものではなく、ＤＶＤ−ＲＷその他の記録可能な光学ディスクは勿論のこと、光磁気ディスク、磁気ディスク等のように他の記録方式のディスク状記録媒体を用いることができると共に、他の形式の記録媒体、例えば、磁気テープ、半導体記録媒体等も適用できるものである。
【００１９】
このディスク式防水型撮像装置１は、図１〜図１０に示すように、開閉可能な蓋体を有する撮像装置本体２と、着脱自在に装着されるＤＶＤ−Ｒを回転駆動して情報信号の記録（書き込み）及び再生（読み出し）を行うディスクドライブ装置３と、このディスクドライブ装置３の駆動制御等を行う制御回路等が設けられた図示しない制御装置と、被写体の像を光として取り込んで撮像手段としての図示しないＣＣＤに導くレンズ装置５と、ＣＣＤから出力される映像信号に基づき画像を表示する表示手段を含むタッチパネル装置７と、ＣＣＤから出力される映像信号を一時的に記憶する図示しない記憶装置等を備えて構成されている。これらディスクドライブ装置３とレンズ装置５とタッチパネル装置７等は、すべて撮像装置本体２内に収納されている。
【００２０】
図７〜図１０に示すように、撮像装置本体２は、中央部に配置されたセンタ枠体１０と、このセンタ枠体１０の一面側を覆うレンズ側外装体１１と、このレンズ側外装体１１に設けた開口部を開閉可能に覆うバックル１２とから構成されている。このセンタ枠体１０のレンズ側外装体１１と反対側は、ディスク状記録媒体が着脱自在に装着されるディスク装着部４７とされており、そのディスク装着部４７は、センタ枠体１０に回動自在に取り付けられたディスク蓋体１３によって開閉可能に覆われている。
【００２１】
センタ枠体１０は、平面形状が略馬蹄形をなしており、略Ｕ字状をなす曲線枠部１６と、その曲線枠部１６の開口側を略直線状に連結する横桟部１５とを有する枠材からなっている。このセンタ枠体１０は、ディスクドライブ装置３等を収納できる高さを有しているが、横桟部１５側が高く設定されており、その反対側である曲線枠部１６の高さは、中央に至るに伴って逐次的に低くなるように勾配を有する形状とされている。このセンタ枠体１０内に、ディスクドライブ装置３や制御装置その他の装置及び機器が配置されている。このセンタ枠体１０のディスク蓋体１３と反対側の面に、レンズ側外装体１１が複数個の固定ネジによってネジ止めされて固定されている。
【００２２】
レンズ側外装体１１の横桟部１５側には開口部１７が大きく開口されて設けられており、その開口部１７がバックル１２によって開閉自在とされている。そして、バックル１２は、センタ枠体１０に回動自在に支持された一対のヒンジアーム２３，２３によって回動自在に支持されている。この一対のヒンジアーム２３，２３の回動動作によってバックル１２が、図７に示す閉鎖位置若しくは図８に示す開放位置、又はこれら閉鎖位置及び開放位置までの間の任意の位置で停止可能に構成されている。
【００２３】
また、バックル１２の内面の外周縁には、その全周に亘ってシール部材２４が取り付けられている。このシール部材２４は、バックル１２と撮像装置本体２との間の密着性を確保し、バックル１２内部の防水（若しくは防滴）構造を実現するものである。シール部材２４は、例えば、２色成形によってバックル１２と一体に形成してもよく、また、紐状のシール部材を接着剤でバックル１２に一体的に固定する構成としてもよい。
【００２４】
このバックル１２は、バッテリー収納部１８を有する開口部１７を開閉する蓋体としての機能の他に、ディスク蓋体１３を閉じた位置に強く締め付けて固定する締結具の機能も兼ね備えている。そのため、バックル１２の先端側の略中央部には、回動自在に支持されたローラ３０を有する締結具２９が設けられている。これに対応させて、ディスク蓋体１３の先端側の略中央部には、ローラ３０が着脱自在に係合される係合突起３１が設けられている。この係合突起３１にローラ３０を乗り越えさせて締結具２９を係合することにより、ディスク蓋体１３をバックル１２で強固に締め付けて閉じた位置に保持することができる。
【００２５】
この締め付け動作と逆動作を締結具２９に加え、ディスク蓋体１３の係合突起３１から離れる方向にローラ３０を回動させてその係合状態を解除することにより、バックル１２を開放して開口部１７を開口させることができる。この開口部１７内にはバッテリー収納部１８と３つの操作手段が配置されており、これらがバックル１２によって閉塞又は開放可能とされている。３つの操作手段は、記録手段によるディスク状記録媒体への記録動作を停止させる第１の操作手段である記録停止スイッチ２１と、第２の操作手段であるスライドツマミ２２と、何らかのトラブルによって起動停止されたディスク式防水型撮像装置１を再起動させるための再起動スイッチ２７である。
【００２６】
かくして、バックル１２が図７に示す閉じた位置にあるときには、開口部１７がバックル１２によって閉じられるため、バッテリー収納部１８と３つの操作手段とが共に覆い隠される。しかも、バックル１２の内面の外周縁に設けたシール部材２４が先週に亘ってレンズ側外装体１１に液密に密着されるため、その密着部から撮像装置本体２の内部に埃やゴミ等が入り込むのを防止できることは勿論のこと、水や水分等の液体が入り込むことをも確実に防止することができる。
【００２７】
一方、バックル１２が、図８に示す開放位置にあるときには、バッテリー収納部１８と起動停止スイッチ２１とスライドツマミ２２と再起動スイッチ２７とがそれぞれ露出される。そのため、バックル１２の開放状態では、バッテリー収納部１８から電源の一具体例を示すバッテリー２８を取り出したり、そのバッテリー収納部１８に新たなバッテリー２８を装着したりすることができる。また、バックル１２が開放位置にあるときにのみ起動停止スイッチ２１とスライドツマミ２２と再起動スイッチ２７とが操作可能な状態となるため、バックル１２が開放される前にスライドツマミ２２が誤って操作されたり、所定の情報信号が記録される前に誤ってディスク蓋体１３が開放されて、記録漏れ等の不具合が発生するのを防止することができる。
【００２８】
図１及び図７等に示すように、ディスク式防水型撮像装置１の正面に配置されたレンズ側外装体１１のバックル１２と反対側の端部には、正面に撮像レンズ６２を露出させた状態でレンズ装置５が配設されている。このレンズ装置５を配設するためレンズ側外装体１１には、正面側に突き出した図に表れないレンズ用膨出部が設けられており、このレンズ用膨出部にレンズカバー６５が装着されている。このレンズ用膨出部に設けた凹陥部内に、撮像レンズ６２を保護するためのレンズ保護ガラスを有するレンズ防水装置が設けられている。
【００２９】
レンズカバー６５は、レンズ用膨出部に見合う形状とされており、撮像レンズ６２が露出される開口穴が設けられている。このレンズカバー６５は、図示しない固定ネジによってレンズ側外装体１１に着脱可能に取り付けられている。そして、レンズカバー６５の開口穴に、レンズ保護ガラスを固定する固定部材６７が着脱可能に螺合されて取り付けられている。
【００３０】
図３及び図９に示すように、センタ枠体１０の曲線枠部１６における横桟部１５側の一方の端部には、撮影の開始と終了を実行する録画ボタン５４と、一対のズームボタンが配置されている。一対のズームボタンは、レンズ装置５をワイド（広角）側に移動させるワイドボタン５５と、レンズ装置５をテレ（望遠）側に移動させるテレボタン５６とから構成されている。ワイドボタン５５とテレボタン５６は、それぞれのボタンを押し続ける間だけ画面の拡大又は縮小が連続して実行され、それぞれの終端においてワイド側又はテレ側への移動が停止されるようになっている。
【００３１】
図２及び図７に示すように、センタ枠体１０の曲線枠部１６における横桟部１５側の他方の端部には、このディスク式防水型撮像装置１を、図示しない三脚に取り付けるための三脚用固定金具５８が埋め込まれ、複数個の固定ネジ５９によって着脱可能に取り付けられている。三脚用固定金具５８は、長手方向両端の円弧部分の曲率半径が異なる略長円形の部材からなり、その大径側に三脚の固定ネジが螺合されるネジ穴５８ａが設けられている。
【００３２】
図９に示すように、ディスクドライブ装置３は、メカデッキ３５とテーブル回転装置３６と光学ピックアップ装置３７とピックアップ移動装置等を備えて構成されている。メカデッキ３５は、ＤＶＤ−Ｒと略同程度の大きさを有する枠状の部材からなり、図示しない複数個のマウント部材を介してセンタ枠体１０に弾性的に支持されている。このメカデッキ３５の中央から一方へ偏倚した位置に、テーブル回転装置３６が搭載されている。テーブル回転装置３６は、メカデッキ３５に固定されたスピンドルモータ４０と、このスピンドルモータ４０の回転部に固定されたターンテーブル４１等から構成されている。
【００３３】
ターンテーブル４１は、ＤＶＤ−Ｒの中心孔が嵌合されるディスク嵌合部４１ａと、その中心孔の周縁部が載置されるディスク載置部４１ｂとからなっている。更に、嵌合部４１ａには、ＤＶＤ−Ｒの中心孔の周縁部に係合してＤＶＤ−Ｒを保持する複数個のクランプ爪４２（本実施例では３個）が周方向に等間隔あけて設けられている。各クランプ爪４２は、それぞれコイルバネによって半径方向外側へ付勢されている。このコイルバネのバネ力によるクランプ爪４２の保持力により、ＤＶＤ−Ｒがターンテーブル４１の中央にセンタリングされて、一定の保持力で保持される。このコイルバネのバネ力に抗してクランプ爪４２を後退させることにより、ターンテーブル４１に対するＤＶＤ−Ｒの装着動作及び離脱動作が可能となる。
【００３４】
光学ピックアップ装置３７は、ＤＶＤ−Ｒの情報記録面に対抗されるピックアップレンズ４４を有する二軸アクチュエータと、この二軸アクチュエータが搭載されたスライド部材４５等を備えて構成されている。スライド部材４５は、図に表れないピックアップ移動装置によって往復移動自在とされていて、ターンテーブル４１に対して接近及び離反可能に構成されている。ピックアップ移動装置は、互いに平行に配置された２本のガイド軸と、これらガイド軸と平行に設けられた送りネジ軸と、この送りネジ軸を回転駆動する送りモータ等から構成されている。
【００３５】
ピックアップ移動装置の２本のガイド軸は、スピンドルモータ４０を両側から挟んでディスク式防水型撮像装置１の前後方向に延在されている。この２本のガイド軸にスライド部材４５が摺動可能に保持されており、そのスライド部材４５に取り付けられたナット部材が送りネジ軸のネジ部に係合されている。かくして、ピックアップ移動装置の送りモータを回転駆動することにより、送りネジ軸の回転方向に応じて光学ピックアップ装置３７が、ターンテーブル４１に近づく方向とそのターンテーブル４１から離れる方向とに選択的に移動される。
【００３６】
このような構成を有するディスクドライブ装置３が、ターンテーブル４１をディスク蓋体１３側に配した状態でセンタ枠体１０に取り付けられている。このディスクドライブ装置３のターンテーブル４１側に、ＤＶＤ−Ｒ等のディスク状記録媒体が着脱可能に装着されるディスク装着部４７が設定されている。更に、撮像装置本体２内のディスクドライブ装置３の奥にはレンズ装置用の空間部が設定されており、その空間部内にレンズ装置５が配設されている。
【００３７】
図４及び図９に示すように、ディスク蓋体１３には、円形に盛り上げられた膨出部１３ａが設けられている。この膨出部１３ａは、ターンテーブル４１に装着されるディスク状記録媒体（例えば、直径が８ｃｍのＤＶＤ−Ｒ等）の大きさに見合う大きさとされている。このディスク蓋体１３の膨出部１３ａの略中央部には長方形をなす開口窓４８が設けられており、その開口窓４８には表示手段を備えたタッチパネル装置７が取り付けられている。そして、膨出部１３ａのタッチパネル装置７の下部には、切換スイッチ５０等が配設されている。更に、この膨出部１３ａより外側の右上部には、撮像装置本体２を把持するための把持部５２の一部を構成する第１の指掛け部５２ａが設けられている。この第１の指掛け部５２ａには、右手の親指が当接される。
【００３８】
タッチパネル装置７は、記録信号または再生信号を画像情報として表示する表示手段と、各種の操作を行う入力手段等を備えており、主に、表示パネル、タッチパネル、バックライトパネル等から構成されている。このタッチパネル装置７が配設されているディスク蓋体１３の開口窓４８の内側周縁には、水や水分等の液体が入り込むのを防止するシール部材が取り付けられている。
【００３９】
このような構成を有するタッチパネル装置７は、その操作面であるタッチパネルの表面に指や専用のペン等で接触することにより、スイッチ等として動作させて、表示の切り換えや、モードの選択等を行うことができる。
【００４０】
スイッチ装置５０は、スライド操作可能とされていると共に、所定位置において押圧操作可能に構成されている。即ち、スイッチ装置５０は、スライド操作によって電源のオン・オフが切り換えられると共に、その電源のオン状態における当該位置において押圧操作することにより、撮影モード（例えば、静止画撮影、動画撮影、再生表示等）の切り換えが可能とされている。このスイッチ装置５０は、図１０乃至図１２に示すように、ハウジング７０と、スライド部材８０と、回動部材１００と、第１及び第２の切換スイッチ１１１，１１２と、シール部材１１５等から構成されている。
【００４１】
ハウジング７０は、ハウジング本体７１とハウジング蓋体７５とから構成されている。ハウジング本体７１は、円弧部７１ａと、この円弧部７１ａの凹側を略直線で結ぶ弦部７１ｂとからなっており、円弧部７１ａには円弧状に形成されたスライド収納部７２が設けられている。スライド収納部７２の一端には、回動部材１００を取り付けるための丸穴の貫通穴７３が設けられており、他端には、角穴の貫通穴７４が設けられている。
【００４２】
貫通穴７４には、撮像装置本体２の内部に配設された第２の切換スイッチの一具体例を示す押しボタンスイッチ１１２の入力部が対向される。押しボタンスイッチ１１２は、薄型の直方体状に形成されており、上面に入力部としての押圧ボタン１１２ａが設けられている。この押圧ボタン１１２ａを押圧する毎に、撮影モード（例えば、静止画撮影、動画撮影、再生表示等）の接点回路が繰り返して切り換えられるようになっている。
【００４３】
更に、貫通穴７４には、この貫通穴７４を塞ぐようにシールプレート１１６が取り付けられている。このシールプレート１１６は、略四角形の形状の弾性体からなっており、その中央部には、貫通穴７４を貫通するように突出した押圧突出部１１６ａが設けられている。シールプレート１１６は、撮像装置本体２の内部に水又は水分が入り込むのを防止することができると共に、ハウジング本体７１のスライド収納部７２側から押圧されることにより、貫通穴７３に対向した押しボタンスイッチ１１２の押圧ボタン１１２ａを押圧突出部１１６ａで押圧することができる。
【００４４】
また、ハウジング本体７１の上面には、ハウジング本体７１の円弧部７１ａと略同様の形状を有すると共に、スライド収納部７２と対向する位置に開口部を設けたシール部材１１５が配設されている。シール部材１１５は、撮像装置本体２の内部に水又は水分が入り込むのを防止するものである。このシール部材１１５及びシールプレート１１６の材質としては、例えば、シリコンゴムを挙げることができるが、ネオプレンゴムやフッ素ゴム等のように、この種のシール部材として使用される各種の材料を用いることができることは勿論である。
【００４５】
ハウジング蓋体７５は、ハウジング本体７１のスライド収納部７２に蓋をするように嵌合されて取り付けられている。このハウジング蓋体７５は、長辺が円弧状に形成された平板状の部材からなり、幅方向の略中央部には、長手方向に所定の間隔をあけて第１のガイド溝７６と、第２のガイド溝７７が設けられている。また、ハウジング蓋体７５の下部には、第２のガイド溝７７を囲むように下方に突出した突出部７８が設けられている。そして、突出部７８の近傍には、後述するバネ部材９７と係合するための山状突起７９が設けられている。
【００４６】
第１のガイド溝７６は略長円形の形状をなしており、この第１のガイド溝７６にスライド部材８０の後述する突状部８４等が貫通される。第２のガイド溝７７は、幅の狭い細幅部７７ａと、この細幅部７７ａに比べて幅の広い四角形の開口部とされた操作可能部７７ｂとからなり、全体として略Ｔ字型に形成されている。このような第２のガイド溝７７にスライド部材８０の後述する操作棒８５が貫通される。
【００４７】
スライド部材８０は、ハウジング蓋体７５の上部に装着される操作ボタン８１と、ハウジング本体７１のスライド収納部７２内に収納されるスライド板９１から構成されている。操作ボタン８１は、平面形状が円弧状に形成された長辺を有する略長円形をなした上面部８２と、この上面部８２の外周縁に連続して下方に突出するように形成された側面部８３と、上面部８２の下面から下方に突出するように形成された突状部８４及び操作棒８５とを有している。
【００４８】
操作ボタン８１の上面部８２は、中央部から両端部に至るに伴って逐次的に高くなるように勾配を有する形状とされている。上面部８２の上面には、滑り止めを目的とする複数の突条部（本実施例では５個）が長手方向に適当な間隔をあけて幅方向に延在されている。そして、上面部８２の長手方向の略中央部には、後述するロック部材９６が摺動可能に嵌合される嵌合穴８６が設けられている。
【００４９】
また、操作ボタン８１の側面部８３の長手方向の一側の両側には、所定の大きさの切欠き部８３ａ，８３ａが互いに対向するように設けられている。これにより、スライド部材８０の操作ボタン８１の一部分を他の部分の剛性よりも低くして、操作ボタン８１を容易に撓ませて弾性変形させることができるように構成している。本実施例では、切欠き部８３ａ，８３ａの形状をコの字形としたが、例えば、Ｕ字形やＶ字形等のように操作ボタン８１を容易に撓ませて弾性変形させることができるその他の形状を用いることもできる。
【００５０】
操作棒８５は、切欠き部８３ａ，８３ａの近傍に配置されており、この操作棒８５から操作ボタン８１の長手方向に所定の間隔をあけて突状部８４が配置されている。突状部８４は、略円筒形をなしており、その端面にはネジ穴が設けられている。操作棒８５は、略四角形の平板状をなす押圧部８５ａと、この押圧部８５ａの一辺に連続して垂直に立ち上がっている括れ部８５ｂと、この括れ部８５ｂよりも幅広とされた規制部８５ｃとを有している。そして、規制部８５ｃの上端が操作ボタン８１の下面に連続され、一体に構成されている。
【００５１】
操作ボタン８１の突状部８４と操作棒８５の間には、ロック部材９６が上述した操作ボタン８１の嵌合穴８６から突出するように嵌合して、摺動可能に取り付けられている。このロック部材９６の下部は、ハウジング蓋体７５の第１のガイド溝７６と係合されており、操作ボタン８１の嵌合穴８６から突出したロック部材９６を押圧することにより、スライド部材８０の摺動動作のロックが解除されるようになっている。
【００５２】
また、操作ボタン８１の操作棒８５は、その括れ部８５ｂにおいてハウジング蓋体７５の第２のガイド溝７７と係合されており、操作ボタン８１を撓ませて弾性変形させることに対しての規制がなされている。操作ボタン８１の突状部８４は、ハウジング蓋体７５の第１のガイド溝７６を貫通していると共にスライド板９１と嵌合し、固定ネジ１０９によって固定されている。
【００５３】
スライド板９１は、略四角形の平板状をなしている固定部９１ａと、この固定部９１ａの１つの角部に連続して形成されているアーム部９１ｂと、このアーム部９１ｂの先端に設けられた係合突起９１ｃとからなっている。固定部９１ａの略中央部には、第１のガイド溝７６を貫通した操作ボタン８１の突状部８４と嵌合するための嵌合穴９２が設けられている。また、アーム部９１ｂの反対側の端部には、ロック部材９６の下部を貫通させるための四角形の貫通穴９３が設けられている。スライド板９１の下面には、嵌合穴９２の近傍にスライド板９１の下面に配置されるバネ部材９７の位置を決めるための位置決め用突起９４が設けられている。
【００５４】
バネ部材９７は、スライド板９１と一緒に操作ボタン８１の突状部８４に固定される。バネ部材９７は、略四角形の固定部９７ａと、この固定部９７ａの一辺に連続して形成され、スライド板９１のアーム部９１ｂと反対方向に延びた第１のバネ片９７ｂと、固定部９７ａの他辺に連続して形成された略コ字状をなす第２のバネ片９７ｃからなっている。バネ部材９７の固定部９７ａの略中央にはネジ用穴９８が設けられており、そのネジ用穴９８の近傍には、スライド板９１の位置決め用突起９４を貫通させる位置決め穴９９が設けられている。
【００５５】
第１のバネ片９７ｂの先端は、くの字状に折り曲げられており、ハウジング蓋体７５の山状突起７９に係合するようになっている。第１のバネ片９７ｂに向かうように延びた第２のバネ片９７ｃの先端部分は、スライド板９１を貫通したロック部材９６の下部と当接されており、そのバネ力によって、ロック部材９６を常時上方（操作ボタン８１に向かう方向）へ付勢している。これにより、操作ボタン８１の摺動動作は、操作ボタン８１の上部に露出したロック部材９６を押圧しない限り、常にロックされた状態になっている。
【００５６】
スライド板９１は、その摺動動作を回動動作に変換する回動部材１００と係合されている。回動部材１００は、ハウジング本体７１のスライド収納部７２に配設されるインナメンバ１０１と、ハウジング本体７１の下部に配設されるアウタメンバ１０２とから構成されている。
【００５７】
インナメンバ１０１は、二又部１０２と、この二又部１０２の下方に突出するように形成された軸部１０３からなっている。インナメンバ１０１の二又部１０２には、スライド板９１の係合突起９１ｃと係合するためのスリット１０２ａが設けられている。インナメンバ１０１の軸部１０３は円筒形をなしており、その端面にはネジ穴が設けられている。このインナメンバ１０１の軸部１０３は、ハウジング本体７１の貫通穴７３を貫通してアウタメンバ１０６と固定ネジ１０９により固定されている。
【００５８】
ハウジング本体７１の貫通穴７３を貫通するインナメンバ１０１の軸部１０３には、シール部材の一具体例を示すＯリング１０５が装着されている。このＯリング１０５により、インナメンバ１０１とハウジング本体７１との間を液密にシールして、撮像装置本体２の内部に水又は水分が入り込むのを防止するように構成している。
【００５９】
アウタメンバ１０６は、円形の固定部１０６ａと、この固定部１０６ａに連続して延在されたアーム部１０６ｂからなっている。アウタメンバ１０６の固定部１０６ａの中央には、ネジ用穴１０７が設けられている。更に、固定部１０６ａの上面には、ハウジング本体７１の貫通穴７３を貫通したインナメンバ１０１と嵌合するための嵌合溝１０８が設けられている。アウタメンバ１０６のアーム部１０６ｂの一辺は、固定部１０６ａの接線方向に延びており、全体として先細の形状とされている。そして、アーム部１０６ｂの先端部分は下方に突出しており、アウタメンバ１０６の他の部分に比べて厚く形成されている。
【００６０】
また、撮像装置本体２の内部のアウタメンバ１０６の近傍には、第１の切換スイッチの一具体例を示す回転スイッチ１１１が配設されている。回転スイッチ１１１は、本体部１０１ａと、アウタメンバ１０６に対向する一側面から突出するように設けられた入力部１０１ｂとを有している。この回転スイッチ１１１は、その入力部１０１ｂがアウタメンバ１０６のアーム部１０６ｂで蹴られることによって電源をオンし、その入力部１０１ｂからアーム部１０６ｂが離れることによって電源がオフされるように接点回路が構成されている。
【００６１】
前述したハウジング７０、スライド部材８０、回動部材１００の材料としては、例えば、ＡＢＳ（アクリロニトリル・ブタジエン・スチレン樹脂）が好適である。しかしながら、ＡＢＳに限定されるものではなく、その他のエンジニアリングプラスチックを適用できることは勿論のこと、合成樹脂以外のアルミニウム合金等の金属を用いることもできる。また、バネ部材９７の材質としては、ステンレス合金その他の金属が好適であるが、ＡＢＳその他のプラスチックを用いることもできる。
【００６２】
このような構成を有するスイッチ装置５０は、例えば、次のようにして簡単に組み立てることができる。まず、ハウジング本体７１の貫通穴７４にシールプレート１１６を配設し、ハウジング本体７１とシールプレート１１６を密着させる。次に、インナメンバ１０１の軸部１０３にＯリング１０５を装着し、Ｏリング１０５が装着された軸部１０３をハウジング本体７１の貫通穴７３に貫通させる。そして、Ｏリング１０５をインナメンバ１０１の軸部１０３とハウジング本体７１に密着させ、ハウジング本体７１の内外を液密にシールする。
【００６３】
これにより、貫通穴７３，７４から撮像装置本体２の内部に塵や埃等が入り込むのを防止できることは勿論のこと、水や水分等の液体が浸入することを確実に防止することができる。その後、ハウジング本体７１の貫通穴７３を貫通したインナメンバ１０１の軸部１０３にアウタメンバ１０６の嵌合溝１０８を嵌合させて固定ネジ１０９により固定する。
【００６４】
次に、操作ボタン８１の嵌合穴８６にロック部材９６を嵌合し、このロック部材９６の下部、操作ボタン８１の突状部８４及び操作棒８５をハウジング蓋体７５の第１のガイド溝７６及び第２のガイド溝７７にそれぞれ貫通させる。続いて、第１のガイド溝７６を貫通した操作ボタン８１の突状部８４にスライド板９１を嵌合させて、バネ部材９７と一緒に固定ネジ１０９で固定する。これにより、操作ボタン８１、ハウジング板７５、スライド板９１を一体化させ、１つのボタン組立体として構成することができる。
【００６５】
次に、ハウジング蓋体７５でハウジング本体７１のスライド収納部７２に蓋をするようにして、ハウジング本体７１に前述したボタン組立体を取り付ける。このとき、同時にスライド板９１の係合突起９１ｃとハウジング本体７１に取り付けたインナメンバ１０１のスリット１０２ａを係合させる。最後に、ハウジング本体７１の円弧部７１ａを覆うと共に、操作ボタン８１を露出させるようにシール部材１１５を取り付ける。これにより、組み立て工程が完了する。このスイッチ装置５０がディスク式防水型撮像装置１のディスク側蓋体１３に取り付けられる。
【００６６】
このような構成を有するディスク式防水型撮像装置１によれば、例えば、次のようにして電源のオン・オフ操作及び撮影モードの切換操作を行うことができる。図１５Ａは、ディスク式防水型撮像装置１の電源がオフであるときのスイッチ装置５０の状態を示す図である。図１５Ａに示すように、電源がオフである状態において、操作ボタン８１の操作棒８５は、ハウジング蓋体７５に設けた第２のガイド溝７７の細幅部７７ａと係合する位置にある。これにより、操作棒８５の規制部８５ｃと第２のガイド溝７７の細幅部７７ａの周縁とが干渉するため、操作ボタン８１は、弾性変形に対する規制がなされており、押圧操作ができないようになっている。
【００６７】
また、スイッチ装置５０には、ハウジング７０の上部とディスク蓋体１３との間にシール部材１１５が介在されていると共に、ハウジング本体７１の貫通穴７３にシールプレート１１６が取り付けられ、インナメンバ１０１の軸部１０３にＯリング１０５が装着されている。そのため、撮像装置本体２の内部に塵や埃等のゴミは勿論のこと、水又は水分が浸入することを確実に防止することができる。
【００６８】
次に、図１５Ｂに示すように、操作ボタン８１をＦ１方向に摺動動作させる。このとき、操作ボタン８１の突状部８４に固定されているスライド板９１が、操作ボタン８１と一体に摺動動作される。これにより、摺動動作したスライド板９１のアーム部９１ｂに設けた係合突起９１ｃは、図１３に示すようにインナメンバ１０１のスリット１０２ａと係合されているため、スライド板９１の摺動動作はインナメンバ１０１によって回動動作に変換される。更に、インナメンバ１０１の回動動作に連動してアウタメンバ１０６が回動動作することにより、回転スイッチ１１１の入力部１１１ｂがアウタメンバ１０６のアーム部１０６ｂに蹴られて電源をオンにする。
【００６９】
一方、操作ボタン８１の摺動動作によって操作ボタン８１の操作棒８５は、図１４に示すようにハウジング蓋体７５に設けた第２のガイド溝７７の操作可能部７７ｂの位置に移動する。これにより、操作棒８５の規制部８５ｃが操作可能部７７ｂを通過することができるようになるため、操作ボタン８１は、押圧操作ができるようになる。そこで、図１５Ｃに示すように、操作ボタン８１の操作棒８５が設けられている側の端部を押圧する（Ｆ２方向）。
【００７０】
これにより、操作ボタン８１の押圧された操作棒８５は、切り欠き部８２，８２を設けたことにより剛性が低くなった、例えばＲ点（若しくはその近傍）を支点に弾性変形される。その結果、操作ボタン８１の操作棒８５が、ハウジング本体７１に取り付けられたシールプレート１１６を介して押しボタンスイッチ１１２の押圧ボタン１１２ａを押圧し、その接点回路を切り換える。これにより、押しボタンスイッチ１１２の切換動作に基づいて、その撮影モード（例えば、静止画撮影、動画撮影、再生表示等）が、操作ボタン８１を押圧する毎に切り換えられる。
【００７１】
一方、ディスク式防水型撮像装置１の電源をオフにする場合には、操作ボタン８１を図１５Ｂに示すＦ３方向に摺動動作させる。このとき、操作ボタン８１と一体にスライド部材８０が摺動動作すると共に、インナメンバ１０１及びアウタメンバ１０６が回動動作を行い、アウタメンバ１０６のアーム部１０６ｂが回転スイッチ１１１の入力部１１１ｂから離れる。このようにしてディスク式防水型撮像装置１の電源をオフすることができる。
【００７２】
図１７Ａ〜Ｄは、第２のガイド溝７７と操作可能部７７ｂ〜７７ｄとの位置関係の他の実施例を示すものである。前記実施例において、ハウジング蓋体７５に設けた第２のガイド溝７７は、ガイド溝の一端に操作可能部７７ｂがある形状（略Ｔ字形）としたが、図１７Ａ〜Ｄのような配置構成とすることもできる。
【００７３】
即ち、図１７Ａに示すガイド溝７７Ａは、細幅部７７ａの略中央部に操作可能部７７ｂを設けたものである。図１７Ｂに示すガイド溝７７Ｂは、細幅部７７ａの両端部にそれぞれ操作可能部７７ｂ，７７ｃを設けたものである。図１７Ｃに示すガイド溝７７Ｃは、細幅部７７ａの略中央部と一方の端部との２個所に操作可能部７７ｂ，７７ｃを設けたものである。また、図１７Ｄに示すガイド溝７７Ｄは、細幅部７７ａの略中央部と両端部との３個所に操作可能部７７ｂ，７７ｃ，７７ｄを設けたものである。各操作可能部には、それぞれ１つの切換スイッチが配置される。
【００７４】
図１７Ａに示す配置構成の場合には、前述した実施例と同様に１個のスイッチを第１の切換スイッチとして用いて、その接点回路の切換操作を行うことができる。図１７Ｂ及び図１７Ｃに示す配置構成の場合には、２個のスイッチを第１の切換スイッチとして用いることができ、２個所の操作可能部において各切換スイッチの接点回路の切換操作を行うことができる。また、図１７Ｄに示す配置構成の場合には、３個のスイッチを第１の切換スイッチとして用いることができ、３個所の操作可能部において各切換スイッチの接点回路の切換操作を行うことができる。
【００７５】
以上説明したように、本発明によれば、スイッチ装置の防水（防滴）機能を保ったまま、１つのスライド部材による一連の動作の中で、２又は３以上の切換スイッチの操作を簡単且つ確実に行うことができ、スイッチ装置の部品点数を削減することができる。これにより、コストアップを防ぐことができると共に、防水型電子機器の小型化を図ることができる。また、スイッチ装置の操作を片手で簡単に行うことができ、装置全体の操作性を向上することができる。
【産業上の利用可能性】
【００７６】
本発明は、前述しかつ図面に示した実施の形態に限定されるものではなく、その要旨を逸脱しない範囲内で種々の変形実施が可能である。例えば、前記実施例においては、防水型電子機器としてディスク式防水型撮像装置を適用した例について説明したが、電子スチルカメラ、カメラ機能付き携帯電話機、カメラ機能付きＰＨＳその他の撮像装置は勿論のこと、撮像装置以外の電子機器、例えば、記録再生装置、パーソナルコンピュータその他各種の防水型電子機器に幅広く適用できるものである。
【図面の簡単な説明】
【００７７】
【図１】本発明の防水型電子機器の一実施例に係るディスク式防水型撮像装置を示す正面図である。
【図２】図１に示すディスク式防水型撮像装置の底面図である。
【図３】図１に示すディスク式防水型撮像装置の平面図である。
【図４】図１に示すディスク式防水型撮像装置の背面図である。
【図５】図１に示すディスク式防水型撮像装置の左側面図である。
【図６】図１に示すディスク式防水型撮像装置の右側面図である。
【図７】図１に示すディスク式防水型撮像装置を斜め正面側から見た外観斜視図である。
【図８】図１に示すディスク式防水型撮像装置を、バックルを開けてレンズ側外装体側から見た外観斜視図である。
【図９】図１に示すディスク式防水型撮像装置を、ディスク蓋体とバックルを開けてディスク蓋体側から見た外観斜視図である。
【図１０】図１のディスク式防水型撮像装置をディスク蓋体側から見た外観斜視図である。
【図１１】図１に示すディスク式防水型撮像装置に係るスイッチ装置を分解して一面側から見た斜視図である。
【図１２】図１に示すディスク式防水型撮像装置に係るスイッチ装置を分解して他面側から見た斜視図である。
【図１３】図１に示すディスク式防水型撮像装置に係るスライド部材と回動部材の関係を説明する説明図である。
【図１４】図１に示すディスク式防水型撮像装置に係る操作ボタンの動作を説明する説明図である。
【図１５】図１に示すディスク式防水型撮像装置に係るスイッチ装置の動作を説明するもので、同図Ａは２つの切換スイッチが共にオフの状態、同図Ｂは第１の切換スイッチのみがオンに切り換えられた状態、同図Ｃは第１の切換スイッチに続いて第２の切換スイッチもオンに切り換えられた状態、をそれぞれ示す説明図である
【図１６】図１のディスク式防水型撮像装置の使用状態を示す説明図である。
【図１７】本発明の防水型電子機器に係るガイド溝の他の実施例を示すもので、同図Ａは第２のガイド溝の中央部に操作可能部を設けた例、同図Ｂは第２のガイド溝の両端部に操作可能部を設けた例、同図Ｃは第２のガイド溝の中央部と一方の端部に操作可能部を設けた例、同図Ｄは第２のガイド溝の中央部と両端部に操作可能部を設けた例、をそれぞれ示す説明図である。
【符号の説明】
【００７８】
１…ディスク式防水型撮像装置（防水型電子機器）、  ２…撮像装置本体、  ３…ディスクドライブ装置、  ５…レンズ装置、  ７…タッチパネル装置（表示装置）、  １０…センタ枠体、  １１…レンズ側外装体、  １２…バックル、  １３…ディスク蓋体、  ３６…テーブル回転装置、  ４７…ディスク装着部、  ４８…開口窓、  ５０…スイッチ装置、  ６２…撮影レンズ、  ７０…ハウジング、  ７１…ハウジング本体、７１ａ…円弧部、  ７１ｂ…弦部、  ７２…スライド収納部、  ７５…ハウジング蓋体、  ７６…第１のガイド溝、  ７７…第２のガイド溝、  ７７ａ…細幅部、  ７７ｂ…操作可能部、  ８１…操作ボタン、  ８３…切り欠き部、  ８４…突状部、  ８５…操作棒、  ８５ａ…押圧部、  ８５ｂ…括れ部、  ８５ｃ…規制部、  ９１…スライド板、  ９１ａ…固定部、  ９１ｂ…アーム部、  ９１ｃ…係合突起、  １００…回動部材、  １０１…インナメンバ、  １０５…Ｏリング（シール部材）、  １０６…アウタメンバ、  １１１…回転スイッチ（第１の切換スイッチ）、  １１２…押しボタンスイッチ（第２の切換スイッチ）、  １１５…シール部材、  １１６…シールプレート
【図１】
2006147259.tif 000003
【図２】
2006147259.tif 000004
【図３】
2006147259.tif 000005
【図４】
2006147259.tif 000006
【図５】
2006147259.tif 000007
【図６】
2006147259.tif 000008
【図７】
2006147259.tif 000009
【図８】
2006147259.tif 000010
【図９】
2006147259.tif 000011
【図１０】
2006147259.tif 000012
【図１１】
2006147259.tif 000013
【図１２】
2006147259.tif 000014
【図１３】
2006147259.tif 000015
【図１４】
2006147259.tif 000016
【図１５】
2006147259.tif 000017
【図１６】
2006147259.tif 000018
【図１７】
2006147259.tif 000019